(57)【要約】      （修正有）【課題】恒温では秘匿され、予め設定された温度条件下でのみ発現する示温インク利用の印刷物の提供。【解決手段】予め設定した温度条件下でのみ発現する示温インクを利用する事で、印刷内容を恒温状態では表面被覆が隠し、加温する事で印刷内容を発現させる印刷物なので、例えば『おみくじ』の場合、加温行為を行う事で『おみくじ』購入者の期待感を高めると共に、「おみくじ」としての神秘性を深める効果を発揮する。また、一般の食品や飲料容器の印刷ラベルや包装資材に利用の場合、その食品や飲料の内容物の状態をラベルを見るだけである程度知る事が出来るので便利である。又、Ｔシャツの様な衣類に印刷した場合、気温やＴシャツ着用者の体温で印刷内容の表示が変わり、着用者や周辺の人たちの興味を引き話題を提供できる。【選択図】図１
0003126349.tif 000002
【実用新案登録請求の範囲】
【請求項１】
示温インクを使用して、予め設定した温度条件でのみ占いの内容が現れるおみくじ
【請求項２】
示温インクを使用して、予め設定した温度条件でのみ印刷の内容が現れる印刷物
【考案の詳細な説明】
【技術分野】
【０００１】本考案は、既存で周知の予め設定した温度以上で発現する示温インクを使用した印刷物で、使用・利用・飲用・食事に適正な温度等の情報を通知するおみくじやシールおよびラベルに関する。
【背景技術】
【０００２】既存で周知の予め設定した温度以上で文字や図案を発現させる示温インクを使用したおみくじや印刷物で、その示温インクの設定した温度帯以外の温度では発現せず、設定された温度以上の雰囲気あるいは温水・温泉等恒温状態と異なる温度を加えられたの状態でのみ、設定された内容を表示するおみくじや印刷物についての考案である
【考案の開示】
【０００３】特許文献及び実用新案文献に示温インク及びその利用物に関する記述は無く、新しい考案である。
【０００４】本考案は既存、周知の示温インクを使用して、おみくじでの利用の場合は、占い面を開示しても、そのままでは占い印刷面が示温インクの作用で現れていないため、読み取ることが出来ないが、温泉あるいはお風呂の湯に浸し、示温インクに予め設定の温度以上の状態にする事により、占いの内容が発現することで、おみくじの購入者の心理は期待感を刺激され、好奇心を増幅する効果を誘引する特徴を有する。
【０００５】又、各種飲料用容器や食品用包装資材のラベルあるいは包装資材本体の印刷に示温インクを利用した場合、飲み頃や保存のための適温を表示させることが出来るので、最も美味しい温度帯での利用と保存用の冷蔵あるいは冷凍設備の運転用電力の節約ができる特徴を有する。
【考案が解決しようとする課題】
【０００６】従来の温度変化を表示する温度計あるいは一部のラベル等において、温度変化を表示する為、「イカの内臓を利用した液晶」を利用していたが、「イカの内臓を利用した液晶」のもつ性質上、大量生産に向かず生産コスト的にも割高になる為、利用の範囲は限られていたが、示温インクを利用することで安価に温度条件を確認できる印刷物が供給できる。
【課題を解決するための手段】
【０００７】本考案の基本となる既存で周知の「予め設定した温度以上の条件で発現するインク」を利用する事で、従来の印刷技術をそのまま利用できるので、応用範囲が広い考案である。
【考案の効果】
【０００８】従来の温度変化を表示する温度計あるいは一部のラベル等において、温度変化を表示する為、「イカの内臓を利用した液晶」を使用していたが、「イカの内臓を利用した液晶」のもつ性質上、大量生産に向かず生産コスト的にも割高になる為、利用の範囲は限られていたが、本考案は示温インクの利用により、従来の印刷技術をそのまま利用でき、且つ温度条件設定の自由度が大なので、応用範囲が広く、印刷コストも、使用するインクの原価の差のみで、「イカの内臓を利用した液晶」に比して安価である点に特徴を有する。
【０００９】おみくじの様に、開いた瞬間に内容が見えるようなおみくじより、開いた時、直ぐには見えないが、温泉に浸したり、温風を吹き付ける様に、購入者が一つの動きを加える事で文字が発現するおみくじの方が神秘性が高く、購入者の心理に働きかけ、劇的効果を演出出来、興味を呼び込む特徴を有する。
【００１０】普通の印刷物の場合、清涼飲料水やアルコール飲料のラベルに使用する場合、示温インクの温度条件を、最も美味しい飲み頃の温度帯を表示する設定にすると、消費者は何時も最適の温度で清涼飲料水やアルコール飲料を飲む事が出来る特徴を有する。
【００１１】派生的であるが、冷蔵庫での保存時の温度を適正に保てるので、冷え過ぎの防止に効果的で、無駄な電力を消費せず、経済的である。
【考案を実施するための最良の形態】
【００１２】『おみくじ』や他の印刷物を示温インク印刷面で被覆することで、通常の印刷面を隠し、『おみくじ』の場合、温泉やお湯に浸して、何度も占い面を発現・表示させる再現性が高いことで、購入者やその周辺の人たちとの話題や関心を引き付け効果的である。【００１３】印刷面表示の再現性が高いので、示温インクで、通常印刷情報面を被覆し保護することで、飲料や食品保存において、保存状態や適温等の情報を消費者に温度状態で知らせる性能は、更に利用者の関心を引きつけ、より効果的であり、且つメーカーの意向を的確に消費者に伝えられ、品質の維持にも効果的である。
【実施例】
【００１４】利用の形態として、温泉に浸すと占いの内容が発現する『おみくじ』が最も代表的な使用例であり、特徴的であるが、現在知られ利用されているあらゆろ印刷物への応用が可能な考案である。【００１５】具体的な印刷の対象としては、紙、木質、合成樹脂、金属、布帛、ガラス等、従来印刷が可能な物質であれば、すべての上記紙、木質、合成樹脂、金属、布帛、ガラス等の物質について有効である。【００１６】印刷表面のコーティングによる被覆保護は印刷対象物の有する性質に応じて、示温インクでの印刷面のみ、あるいは他の通常インクの印刷面を含む全印刷面に対し可能であり、耐水性および耐久性を保持させる為印刷表面のコーティングによる被覆処理を加えると更に効果的である。【００１７】〔図２〕のおみくじを、例えば温泉に浸すと〔図１〕（２）の占いの文章が温泉の温度を得て、予め設定された任意の温度以上になると示温インク（２）が作用して、表面をコーティングした皮膜の中より占いの内容が現れ、再び、温度を失うと表面をコーティング（４）した被覆の中に隠れる作用を表すので、『おみくじ』としての神秘性を発揮する特徴を有する考案である。
【産業上の利用可能性】
【００１８】上記【０００９】の『おみくじ』やその他の『くじ類』及び【００１０】の一般印刷物の他には、一般の缶詰および瓶詰めの清涼飲料水あるいはビールを代表とする各種アルコール飲料のラベルや缶の表面の印刷した場合、その飲料水の最も美味な温度を表示するので利用者にとって便利であり、又販売側においては、保存時の温度設定に無駄が無く、冷蔵庫、冷蔵冷凍ショーケース等保管施設や装置の電気代節約に繋がり、省エネに貢献できる考案であり、利用分野は広い考案である。【００２０】Ｔシャツのプリントに示温インクを配合した場合、そのＴシャツを着用した時の温度やＴシャツ着用者の体温の変化に応じて、プリント面が変化して着用の本人や周辺の人達の関心や興味を引きつけ、話題性に富むので、ファッション分野での利用にも興味深い考案である。
【図面の簡単な説明】
【図１】おみくじでの利用を示した平面図で、示温状態である。
【図２】おみくじでの利用を示した平面図で、恒温状態である。
【図３】缶詰飲料の表面に印刷した場合の斜視図である。
【図４】おみくじでの利用を示した断面図である。
【符号の説明】
１  おみくじの基礎部材
２  示温インクおよび示温インクでの文章・図案の印刷面部分
３  印刷表面保護用コーティング部
４  缶詰飲料の外形
【図１】
0003126349.tif 000003
【図２】
0003126349.tif 000004
【図３】
0003126349.tif 000005
【図４】
0003126349.tif 000006
【手続補正書】
【提出日】平成17年4月19日(2005.4.19)
【手続補正３】
【補正対象書類名】実用新案登録請求の範囲
【補正対象項目名】全文
【補正方法】変更
【補正の内容】
【実用新案登録請求の範囲】
【請求項１】
示温おみくじ
【請求項２】
示温印刷物
【手続補正４】
【補正対象書類名】明細書
【補正対象項目名】全文
【補正方法】変更
【補正の内容】
【考案の詳細な説明】
【技術分野】
【０００１】本考案は、既存で周知の予め設定した温度以上で発現する示温インクを使用した印刷物で、使用・利用・飲用・食事に適正な温度等の情報を通知するおみくじやシールおよびラベルに関する。
【背景技術】
【０００２】既存で周知の予め設定した温度以上で文字や図案を発現させる示温インクを使用したおみくじや印刷物で、その示温インクの設定した温度帯以外の温度では発現せず、設定された温度以上の雰囲気あるいは温水・温泉等恒温状態と異なる温度を加えられたの状態でのみ、設定された内容を表示するおみくじや印刷物についての考案である
【考案の開示】
【０００３】特許文献及び実用新案文献に示温インク及びその利用物に関する記述は無く、新しい考案である。
【０００４】本考案は既存、周知の示温インクを使用して、おみくじでの利用の場合は、占い面を開示しても、そのままでは占い印刷面が示温インクの作用で現れていないため、読み取ることが出来ないが、温泉あるいはお風呂の湯に浸し、示温インクに予め設定の温度以上の状態にする事により、占いの内容が発現することで、おみくじの購入者の心理は期待感を刺激され、好奇心を増幅する効果を誘引する特徴を有する。
【０００５】又、各種飲料用容器や食品用包装資材のラベルあるいは包装資材本体の印刷に示温インクを利用した場合、飲み頃や保存のための適温を表示させることが出来るので、最も美味しい温度帯での利用と保存用の冷蔵あるいは冷凍設備の運転用電力の節約ができる特徴を有する。
【考案が解決しようとする課題】
【０００６】従来の温度変化を表示する温度計あるいは一部のラベル等において、温度変化を表示する為、「イカの内臓を利用した液晶」を利用していたが、「イカの内臓を利用した液晶」のもつ性質上、大量生産に向かず生産コスト的にも割高になる為、利用の範囲は限られていたが、示温インクを利用することで安価に温度条件を確認できる印刷物が供給できる。
【課題を解決するための手段】
【０００７】本考案の基本となる既存で周知の「予め設定した温度以上の条件で発現するインク」を利用する事で、従来の印刷技術をそのまま利用できるので、応用範囲が広い考案である。
【考案の効果】
【０００８】従来の温度変化を表示する温度計あるいは一部のラベル等において、温度変化を表示する為、主に「イカの内臓を利用した液晶」を使用していたが、「イカの内臓を利用した液晶」のもつ性質上、大量生産に向かず生産コスト的にも割高になる為、利用の範囲は限られていたが、本考案は示温インクの利用により、従来の印刷技術をそのまま利用でき、且つ温度条件設定の自由度が大なので、応用範囲が広く、印刷コストも、使用するインクの原価の差のみで、「イカの内臓を利用した液晶」に比して安価である点に特徴を有する。
【０００９】おみくじの様に、開いた瞬間に内容が見えるようなおみくじより、開いた時、直ぐには見えないが、温泉に浸したり、温風を吹き付ける様に、購入者が一つの動きを加える事で文字が発現するおみくじの方が神秘性が高く、購入者の心理に働きかけ、劇的効果を演出出来、興味を呼び込む特徴を有する。
【００１０】清涼飲料水やアルコール飲料のラベルに使用する場合、示温インクの温度条件を、最も美味しい飲み頃の温度帯を表示する設定にすると、消費者は何時も最適の温度で清涼飲料水やアルコール飲料を飲む事が出来る特徴を有する。
【００１１】派生的であるが、冷蔵庫での保存時の温度を適正に保てるので、冷え過ぎの防止に効果的で、無駄な電力を消費せず、経済的である。
【考案を実施するための最良の形態】
【００１２】『おみくじ』を示温インク印刷面で被覆することで、通常の印刷面を隠し、『おみくじ』の場合、印刷面表示の再現性が高いので、温泉やお湯に浸し、何度も占い面を発現・表示させる再現性は、購入者やその周辺の人たちとの話題や関心を引き付け効果的である。【００１３】『他の印刷物』の場合、示温インクで、通常印刷情報面を被覆し保護することで、飲料や食品保存等の情報伝達において、的確に保存状態や適温等の情報を消費者に温度状態で知らせる性能は、更に利用者の関心を引きつけ、且つメーカーの意向を的確に消費者に伝えられ、品質の維持にもより効果的であり安全である。
【実施例】
【００１４】利用の形態として、温泉に浸すと占いの内容が発現する『おみくじ』が最も代表的な使用例であり、特徴的であるが、現在知られ利用されているあらゆる印刷物への応用が可能な考案である。【００１５】具体的な印刷の対象としては、紙、木質、合成樹脂、金属、布帛、ガラス等、従来印刷が可能な物質であれば、すべての上記紙、木質、合成樹脂、金属、布帛、ガラス等の物質について有効である。【００１６】印刷表面のコーティングによる被覆保護は印刷対象物の有する性質に応じて、示温インクでの印刷面のみ、あるいは他の通常インクの印刷面を含む全印刷面に対し可能であり、耐水性および耐久性を保持させる為印刷表面のコーティングによる被覆処理を加えると更に効果的である。【００１７】〔図２〕のおみくじを、例えば温泉に浸すと〔図１〕（２）の占いの文章が温泉の温度を得て、予め設定された任意の温度以上になると示温インク（２）が作用して、表面をコーティングした被膜の中より占いの内容が現れ、再び、温度を失うと表面をコーティング（４）した被膜の中に隠れる作用を表すので、『おみくじ』としての神秘性を発揮する特徴を有する考案である。
【産業上の利用可能性】
【００１８】上記〔０００９〕の『おみくじ』やその他の『くじ類』及び〔００１０〕の一般印刷物の他には、一般の缶詰および瓶詰めの清涼飲料水あるいはビールを代表とする各種アルコール飲料のラベルや缶の表面の印刷した場合、その飲料水の最も美味な温度を表示するので利用者にとって便利であり、又販売側においては、保存時の温度設定に無駄が無く、冷蔵庫、冷蔵冷凍ショーケース等保管施設や装置の電気代節約に繋がり、省エネに貢献できる考案であり、利用分野は広い考案である。【００２０】Ｔシャツのプリントに示温インクを配合した場合、そのＴシャツを着用した時の温度やＴシャツ着用者の体温の変化に応じて、プリント面が変化して着用の本人や周辺の人達の関心や興味を引きつけ、話題性に富むので、ファッション分野での利用にも興味深い考案である。
【図面の簡単な説明】
【図１】おみくじでの利用を示した平面図で、示温状態である。
【図２】おみくじでの利用を示した平面図で、恒温状態である。
【図３】缶詰飲料の表面に印刷した場合の斜視図である。
【図４】おみくじでの利用を示した断面図である。
【符号の説明】
１  おみくじの基礎部材
２  示温インクおよび示温インクでの文章・図案の印刷面部分
３  印刷表面保護用コーティング部
４  缶詰飲料の外形
【手続補正書】
【提出日】平成17年10月5日(2005.10.5)
【手続補正１】
【補正対象書類名】実用新案登録請求の範囲
【補正対象項目名】全文
【補正方法】変更
【補正の内容】
【実用新案登録請求の範囲】
【請求項１】
示温インクを使用して、予め設定した温度条件で文字や図案が現れる占いやおみくじ。
【請求項２】
示温インクを使用して、予め設定した温度条件で文字や図案が現れる印刷物。
【手続補正書】
【提出日】平成18年3月2日(2006.3.2)
【手続補正１】
【補正対象書類名】実用新案登録請求の範囲
【補正対象項目名】全文
【補正方法】変更
【補正の内容】
【実用新案登録請求の範囲】
【請求項１】
印刷物の基礎部材の表面上に、予め設定した温度以上で文字や図案を発現させる示温インクによる文章または図案の印刷面が設けられ、前期印刷面の表面上に、印刷表面保護用コーティング部が設けられてなり、恒温では秘匿され、予め設定された温度以上でのみ発現する示温おみくじと示温印刷物
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
印刷物の基礎部材の表面上に、予め設定した温度以上で文字や図案を発現させる示温インクによる文章または図案の印刷面が設けられ、前期印刷面の表面上に、印刷表面保護用コーティング部が設けられてなり、恒温では秘匿され、予め設定された温度以上でのみ発現する示温おみくじ
【請求項２】
印刷物の基礎部材の表面上に、予め設定した温度以上で文字や図案を発現させる示温インクによる文章または図案の印刷面が設けられ、前期印刷面の表面上に、印刷表面保護用コーティング部が設けられてなり、恒温では秘匿され、予め設定された温度以上でのみ発現する示温印刷物
【手続補正２】
【補正対象書類名】図面
【補正対象項目名】図１
【補正方法】変更
【補正の内容】
【図１】
0003126349.tif 000007
【手続補正３】
【補正対象書類名】図面
【補正対象項目名】図２
【補正方法】変更
【補正の内容】
【図２】
0003126349.tif 000008
【手続補正４】
【補正対象書類名】図面
【補正対象項目名】図３
【補正方法】変更
【補正の内容】
【図３】
0003126349.tif 000009
【手続補正５】
【補正対象書類名】図面
【補正対象項目名】図４
【補正方法】変更
【補正の内容】
【図４】
0003126349.tif 000010